(57)【要約】【課題】トリアリルイソシアヌレート（ＴＡＩＣ）に比し、架橋速度が速い、架橋性エラストマー用架橋剤を提供する。【解決手段】一般式（Ｉ）で表されるビスイソシアヌレート誘導体から成る架橋性エラストマー用架橋剤。    【化１】2011190432.tif 000007（式中、Ｘは、Ｃ１〜Ｃ１２のアルキレン基またはアルケニレン基を示し、主鎖中に、カルボニル基、エーテル結合またはエステル結合を含んでいてもよく、また、側鎖に置換基を有してもよい。Ｙ１、Ｙ２、Ｙ３、Ｙ４のうちの少なくとも２つは、各々独立に、置換されていてもよいアリル基を示し、残りは水素原子または置換されていてもよい炭化水素基を示す。）【選択図】なし【特許請求の範囲】
【請求項１】
一般式（Ｉ）で表されるビスイソシアヌレート誘導体から成ることを特徴とする架橋性エラストマー用架橋剤。
【化１】
2011190432.tif 000006
（式中、Ｘは、Ｃ１〜Ｃ１２のアルキレン基またはアルケニレン基を示し、主鎖中に、カルボニル基、エーテル結合またはエステル結合を含んでいてもよく、また、側鎖に置換基を有してもよい。Ｙ１、Ｙ２、Ｙ３、Ｙ４のうちの少なくとも２つは、各々独立に、置換されていてもよいアリル基を示し、残りは水素原子または置換されていてもよい炭化水素基を示す。）
【請求項２】
架橋性エラストマーが置換ポリオレフィンである請求項１に記載の架橋剤。
【請求項３】
置換ポリオレフィンがエチレン酢酸ビニル共重合体である請求項２に記載の架橋剤。
【請求項４】
架橋性エラストマーに少なくとも前記一般式（Ｉ）で表されるビスイソシアヌレート誘導体を配合して成り、架橋性エラストマー１００重量部にに対するビスイソシアヌレート誘導体の割合が０．０５〜１５重量部であることを特徴とする架橋性エラストマー組成物。
【請求項５】
架橋性エラストマーが置換ポリオレフィンである請求項４に記載の架橋性エラストマー組成物。
【請求項６】
置換ポリオレフィンがエチレン酢酸ビニル共重合体である請求項５に記載の架橋性エラストマー組成物。
【請求項７】
架橋性エラストマーを硬化するエラストマー成形体の製造方法において、架橋剤として前記一般式（Ｉ）で表されるビスイソシアヌレート誘導体を使用することを特徴とするエラストマー成形体の製造方法。
【請求項８】
架橋性エラストマーが置換ポリオレフィンである請求項７に記載の製造方法。
【請求項９】
置換ポリオレフィンがエチレン酢酸ビニル共重合体である請求項８に記載の製造方法。
【請求項１０】
架橋剤の作用によって硬化されたエラストマー成形体であり、架橋剤として前記一般式（Ｉ）で表されるビスイソシアヌレート誘導体を使用して成ることを特徴とするエラストマー成形体。
【請求項１１】
エラストマーが置換ポリオレフィンである請求項１０に記載のエラストマー成形体。
【請求項１２】
置換ポリオレフィンがエチレン酢酸ビニル共重合体である請求項１１に記載のエラストマー成形体。
【発明の詳細な説明】
【技術分野】
【０００１】
本発明は、架橋性エラストマー用架橋剤およびその応用に関し、詳しくは、特定構造のビスイソシアヌレート誘導体から成る架橋性エラストマー用架橋剤およびその応用に関する。なお、本発明において、架橋性エラストマーとは、ラジカル発生により架橋可能な活性点を有するエラストマーをいう。
【背景技術】
【０００２】
イソシアヌレート誘導体、特にトリアリルイソシアヌレート（以下ＴＡＩＣと称す）は、架橋性エラストマーを硬化して成形体を得る際の有用な架橋剤として知られている。
【０００３】
しかしながら、ＴＡＩＣを使用した架橋性エラストマー成形体は耐薬品性と圧縮永久歪が優れるものの、置換ポリオレフィン、特にエチレン酢酸ビニル共重合体にＴＡＩＣを使用した場合は架橋速度が遅いため、架橋工程の時間が長くなるという欠点がある。
【０００４】
一方、硬化型樹脂の原料として有用なジ（イソシアヌロ）類化合物（ビスイソシアヌレート誘導体）が提案されている（特許文献１）。
【０００５】
しかしながら、上記の提案においては、架橋性エラストマーについては何ら言及されていない。
【先行技術文献】
【特許文献】
【０００６】
【特許文献１】特開昭５４−１０３８８１号公報
【発明の概要】
【発明が解決しようとする課題】
【０００７】
本発明は、上記実情に鑑みなされたものであり、その目的は、ＴＡＩＣに比し、架橋速度が速い、架橋性エラストマー用架橋剤を提供することにある。
【課題を解決するための手段】
【０００８】
本発明者らは鋭意検討した結果、前記のビスイソシアヌレート誘導体によって上記の目的を容易に達成し得ることを見出し本発明に到達した。
【０００９】
すなわち、本発明の第１の要旨は、一般式（Ｉ）で表されるビスイソシアヌレート誘導体から成ることを特徴とする架橋性エラストマー用架橋剤に存する。
【００１０】
【化１】
2011190432.tif 000002
（式中、Ｘは、Ｃ１〜Ｃ１２のアルキレン基またはアルケニレン基を示し、主鎖中に、カルボニル基、エーテル結合またはエステル結合を含んでいてもよく、また、側鎖に置換基を有してもよい。Ｙ１、Ｙ２、Ｙ３、Ｙ４のうちの少なくとも２つは、各々独立に、置換されていてもよいアリル基を示し、残りは水素原子または置換されていてもよい炭化水素基を示す。）
【００１１】
本発明の第２の要旨は、架橋性エラストマーに少なくとも前記一般式（Ｉ）で表されるビスイソシアヌレート誘導体を配合して成り、架橋性エラストマー１００重量部に対するビスイソシアヌレート誘導体の割合が０．０５〜１５重量部であることを特徴とする架橋性エラストマー組成物に存する。
【００１２】
本発明の第３の要旨は、架橋性エラストマーを硬化するエラストマー成形体の製造方法において、架橋剤として前記一般式（Ｉ）で表されるビスイソシアヌレート誘導体を使用することを特徴とするエラストマー成形体の製造方法に存する。
【００１３】
そして、本発明の第４の要旨は、架橋剤の作用によって硬化されたエラストマー成形体であり、架橋剤として前記一般式（Ｉ）で表されるビスイソシアヌレート誘導体を使用して成ることを特徴とするエラストマー成形体に存する。
【発明の効果】
【００１４】
本発明によれば、ＴＡＩＣに比し、架橋速度が速い、架橋性エラストマー用架橋剤が提供される。
【発明を実施するための形態】
【００１５】
以下、本発明を詳細に説明する。
【００１６】
＜架橋性エラストマー用架橋剤＞
本発明の架橋性エラストマー用架橋剤は前記の一般式（Ｉ）で表されるビスイソシアヌレート誘導体から成る。
【００１７】
前記の一般式（Ｉ）における置換されていてもよい炭化水素基としては、例えば、炭素数１〜１０の脂肪族炭化水素基、脂環式炭化水素基および芳香族炭化水素基が挙げられる。脂肪族炭化水素基は分岐構造を有していてもよく、また、これらは置換基を有していてもよい。炭化水素基の具体例としては、アルキル基、アルケニル基、アルコキシ基、チオアルキル基、アルコキシカルボニル基、シクロヘキシル基、フェニル基、ベンジル基などが挙げられる。なお、式（Ｉ）中のＹ１、Ｙ２、Ｙ３、Ｙ４は、各々同一であっても異なっていてもよい。
【００１８】
一般式（Ｉ）で表されるビスイソシアヌレート誘導体の具体的な化合物としては１、２−メチレン−ビス（３、５−ジアリルイソシアヌレート）、１、２−エチレン−ビス（３、５−ジアリルイソシアヌレート）、１、３−プロピレン−ビス（３、５−ジアリルイソシアヌレート）、１、４−ブチレン−ビス（３、５−ジアリルイソシアヌレート）、１、５−ペンチル−ビス（３、５−ジアリルイソシアヌレート）、１、６−ヘキサン−ビス（３、５−ジアリルイソシアヌレート）、１、７−ヘプタン−ビス（３、５−ジアリルイソシアヌレート）、１、８−オクタン−ビス（３、５−ジアリルイソシアヌレート）、１、１０−デカン−ビス（３、５−ジアリルイソシアヌレート）、１、１２−ドデカン−ビス（３、５−ジアリルイソシアヌレート）１、２−プロピレン−ビス（３、５−ジアリルイソシアヌレート）、１、４−２−ブテン−ビス（３、５−ジアリルイソシアヌレート）、１、５−ヘキサフルオロペンチル−ビス（３、５−ジアリルイソシアヌレート）等が挙げられる。
【００１９】
上記のビスイソシアヌレート誘導体は架橋性エラストマー用架橋剤として使用されるが、架橋性エラストマーの種類および使用法は後述する他の発明の中で説明する。
【００２０】
＜架橋性エラストマー組成物＞
本発明の架橋性エラストマー組成物は、架橋性エラストマーに少なくとも前記一般式（Ｉ）で表されるビスイソシアヌレート誘導体を配合して成り、架橋性エラストマー１００重量部に対するビスイソシアヌレート誘導体の割合が０．０５〜１５重量部である。
【００２１】
架橋性エラストマーの種類は、特に限定されず、例えば、天然ゴム、イソプレンゴム、ブタジエンゴム、エチレンプロピレンゴム、スチレンゴム、ニトリルゴム、水素化ニトリルゴム、クロロプレンゴム、クロロスルホン化ポリエチレン、アクリルゴム、エチレンアクリルゴム、シリコーンゴム、フッ素ゴム、ヒドリンゴム等が挙げられる。また、エチレン、プロピレン等のオレフィンとビニルアルコール、アクリル酸、メタクリル酸、アクリル酸エチル、メタクリル酸グリシジル、酢酸ビニル等との共重合体である置換ポリオレフィンが挙げられる。更に、これらの２種以上から成るブレンドゴムでもよい。好ましくは置換ポリオレフィンである。置換ポリオレフィンの種類は、特に限定されないが、好ましくはエチレン酢酸ビニル共重合体である。エチレン酢酸ビニル共重合体の酢酸ビニル含有量は、通常１０〜４０重量％で、好ましくは２０〜３５重量％である。
【００２２】
架橋性エラストマーに対するビスイソシアヌレート誘導体の配合割合は、好ましくは０．０５〜１５重量％である。
【００２３】
本発明においては、前記の架橋剤と共に他の架橋剤を併用してもよい。他の架橋剤は、特に制限されないが、以下の一般式（II）で表されるイソシアヌレート誘導体が好ましい。
【００２４】
【化２】
2011190432.tif 000003
（式（II）中、Ａ、Ｂ、Ｃのうちの少なくとも２つは、各々独立に、置換されていてもよいアリル基を示し、残りは水素原子または置換されていてもよい炭化水素基を示す。）
【００２５】
上記の炭化水素基は前記一般式（Ｉ）で説明したものと同義である。なお、式（II）中のＡ、Ｂ、Ｃは、各々同一であっても異なっていてもよい。
【００２６】
一般式（II）で表されるイソシアヌレート誘導体は、既に公知であり、その具体例としては、トリアリルイソシアヌレート（ＴＡＩＣ）、ジアリルメタリルイソシアヌレート、ジアリルベンジルイソシアヌレート、ジアリル−４−トリフルオロメチルベンジルイソシアヌレート、トリメタリルイソシアヌレート、エトキシカルボニルメチルジアリルイソシアネート等が挙げられる。
【００２７】
前記のビスイソシアヌレート誘導体と上記のイソシアヌレート誘導体とを併用する場合、その合計配合量は、架橋性エラストマー１００重量部に対し、通常０．０５〜１５重量部、好ましくは０．５〜５重量部である。イソシアヌレート誘導体の割合は、全架橋剤に対する割合として、通常５〜９５重量％である。
【００２８】
また、上記のイソシアヌレート誘導体の他に多官能（メタ）アクリレートを併用してもよい。多官能（メタ）アクリレートは、１分子中に（メタ）アクリロイル基を２個以上、好ましくは３個以上有するものである。具体的には、トリメチロールプロパントリ（メタ）アクリレート、ペンタエリスリトールトリ（メタ）アクリレート、トリス（（メタ）アクリロキシエチル）イソシアヌレート、ジメチロールプロパンテトラ（メタ）アクリレート、テトラエチレングリコールジ（メタ）アクリレート、ノナエチレングリコールジ（メタ）アクリレート等が挙げられる。これらの多官能（メタ）アクリレートの添加量は架橋性エラストマー１００重量部に対して０．０５〜１５重量部である。
【００２９】
架橋性エラストマー組成物には有機過酸化物を配合することができる。有機過酸化物は、加熱架橋には通常は必須の成分であり、加硫条件でパーオキシラジカルを発生する公知な有機過酸化物であれば特に限定されない。例えば、ジ−ｔ−ブチルパーオキサイド、ジクミルパーオキサイド、２，５−ジメチル−２，５−ジ（ベンゾイルパーオキシ）ヘキサン、２，５−ジメチル−２，５−ジ（ｔ−ブチルパーオキシ）ヘキサン、ｔ−ブチルパーオキシ−２−エチルヘキシル−モノカーボネート、１，１−ビス（ｔ−ブチルパーオキシ）−３，５，５−トリメチルシクロヘキサン、２，５−ジメチルヘキサン−２，５−ジヒドロキシパーオキシド、ｔ−ブチルクミルパーオキシド、α，α’−ビス（ｔ−ブチルパーオキシ）−p−ジイソプロピルベンゼン、２，５−ジメチル−２，５−ジ（ｔ−ブチルパーオキシ）ヘキシン、ベンゾイルパーオキシド、ｔ−ブチルパーオキシベンゼン等が挙げられる。
【００３０】
有機過酸化物の配合量は、使用する架橋性エラストマーによっても異なるが、架橋性エラストマー１００重量部に対し、通常０．１〜１０重量％、好ましくは０．５〜５重量％である。なお、放射線架橋の場合は、有機過酸化物は必ずしも必要ではない。
【００３１】
本発明においては、例えば、重合禁止剤、充填剤、顔料、安定剤、滑剤、離型剤、可塑剤、老化防止剤、シランカップリング剤、紫外線吸収剤、難燃剤、受酸剤などの公知の添加剤を使用することが出来る。
【００３２】
例えば、老化防止剤としては、ジ−ｔ−ブチル−Ｐ−クレゾール、ペンタエリスリチル−テトラキシ［３−（３，５−ジ−ｔ−ブチル−４−ヒドロキシフェニル）プロピオネート］、２，２′メチレンビス（２−メチル−６−ｔ−ブチルフェニル）、ビス（２，２，６，６−テトラメチル−４−ピペラジル）セバケート、Ｎ，Ｎ’−ヘキサン−１，６−ジイルビス〔３−（３，５−ジ−ｔｅｒｔ−ブチル−４−ヒドロキシフェニル）プロピオナミド〕、ビス（２，２，６，６−テトラメチル−４−ピペラジル）セバケート、ハイドロキノンモノメチルエーテル、メチルハイドロキノン等が挙げられる。
【００３３】
また、シランカップリング剤としては、γ−クロロプロピルトリメトキシシラン、ビニルトリエトキシシラン、ビニル−トリス−（β−メトキシエトキシ）シラン、γ−メタクリロキシプロピルトリメトキシシラン、β−（３，４−エトキシシクロヘキシル）エチルトリメトキシシラン、γ−グリシドキシプロピルトリメトキシシラン、γ−メルカプトプロピルトリメトキシシラン、γ−アミノプロピルトリメトキシシラン、Ｎ−β−（アミノエチル）−γ−アミノプロピルトリメトキシシラン等が挙げられる。
【００３４】
紫外線吸収剤としては、２−ヒドロキシー４−ｎ−オクチルオキシベンゾフェノン、２,２−ヒドロキシー４，４−ジメトキシベンソフェノン、２−（２’−ヒドロキシ−５−メチルフェニル）ベンゾトリアゾール、ｐ−ｔ−ブチルフェニルサルシレート等が挙げられる。
【００３５】
上記の添加剤の割合は、架橋性の高分子１００重量部に対し、通常１０重量部以下、好ましくは５重量部以下である。
【００３６】
前記の各成分は、バンバリーミキサー、ニーダー、オープンロール等の通常の混練機によって混合され、架橋性エラストマー組成物とされる。
【００３７】
＜エラストマー成形体の製造方法＞
本発明の製造方法は架橋性エラストマーを硬化するエラストマー成形体の製造方法である。そして、架橋剤として前記一般式（Ｉ）で表されるビスイソシアヌレート誘導体を使用する。加熱架橋と放射線架橋の何れでもよいが、加熱架橋が好ましい。
【００３８】
加熱架橋は、所望形状の金型に所定量の架橋性エラストマー組成物を充填し、加熱プロセスにより一次架橋を施した後、必要に応じ、オーブン内で二次架橋を施すことによって行われる。成型機の金型の形状は、例えば、シート状、棒状、リング状、各種複雑なブロック形状など、得られるエラストマー成形体の用途に応じて任意に選択することが出来る。
【００３９】
一次架橋は、例えば、射出成型機、加圧成型機などを使用し、通常、１２０℃〜２００℃、２〜３０分加熱することにより行われる。
【００４０】
二次架橋は、１２０℃〜２００℃、１〜１０時間の条件で行う。
【００４１】
なお、放射線架橋に使用される放射線としては、加速電子線、Ｘ線、α線、β線、γ線などが利用可能である。照射線量は、使用する架橋性エラストマー等によっても異なるが、通常０．１〜５００ｋＧｙである。
【００４２】
＜エラストマー成形体＞
本発明のエラストマー成形体は、架橋剤の作用によって硬化されたエラストマー成形体であり、架橋剤として前記一般式（Ｉ）で表されるビスイソシアヌレート誘導体を使用して成る。その製造方法は前記の通りである。
【実施例】
【００４３】
以下、本発明を実施例より更に詳細に説明するが、本発明はその要旨を超えない限り、以下の実施例に限定されるものではない。なお、以下の諸例で使用した評価方法は次の通りである。
【００４４】
合成例１［１、２−エチレン−ビス（３、５−ジアリルイソシアヌレート）の合成］
Ｎ，Ｎ−ジメチルホルムアミド（ＤＭＦ）６０ｇにジアリルイソシアヌレート１２．０ｇ（０．０５ｍｏｌ）と炭酸カリウム８．４ｇ（０．０６ｍｏｌ）を添加して溶解した後、１、２−ジクロロエタン３．０ｇ（０．０３ｍｏｌ）を添加し、１２０℃で３時間反応させた。その後、冷却し、反応混合物を濾過して無機物を除去し、この濾液を減圧蒸留し溶媒を回収した。得られた残渣を酢酸エチルで希釈してから５重量％塩酸水溶液で洗浄し、更に水洗後、無水硫酸マグネシウムで乾燥して濾過した。得られた濾液中の酢酸エチルを減圧蒸留し溶媒を回収し、更に、残渣をイソプロピルアルコール５０ｇへ撹拌しながら投入して目的物を析出させた。得られた析出物を濾過、乾燥し、１０．６ｇの粉体として１、２−エチレン−ビス（３、５−ジアリルイソシアヌレート）を得た（ＬＣ純度９５％、収率８８％）。
【００４５】
上記の「ＬＣ純度」は、島津製作所製の「ＬＣ−１０ＡＤＶＰ」に「ＩＮＥＲＴＳＩＬ  ＯＤＳ−３」カラム（２５ｃｍ）を装填し、アセトニトリル溶媒と水混合溶媒を使用して液体クロマトグラフィー測定を行い、面積百分率として求めた。
【００４６】
実施例１〜３及び比較例１：
オープンロールにより、表１に示す各成分を同表に示す割合でエチレン酢酸ビニル共重合物（ＥＶＡ）へ混練りした。得られた組成物を１５０℃で熱プレスを行い、厚さ１ｍｍのシートを得た。
【００４７】
上記の混練り際、キュラストメータにて組成物（１５０℃）のトルクを１５分に亘って値を読み取ることにより測定した。トルク最小値とトルク最大値の中間値を「５０％架橋時トルク」とし、それに至った時間を「５０％架橋到達時間」とした。そして、トルク最小値とトルク最大値の差の３０％の値を「３０％架橋時トルク」とし、それに至った時間を「３０％架橋到達時間」とした。評価結果を表２に示す。
【００４８】
【表１】
2011190432.tif 000004
（１）酢酸ビニル含量：２６重量％
（２）２，５−ジメチル−２，５−（ｔ−ブチルパーオキシ）ヘキサン（日本油脂（株）製）
（３）１、２−エチレン−ビス（３、５−ジアリルイソシアヌレート）
（４）トリアリルイソシアヌレート（日本化成（株）製）
（５）γ−メタクリロキシプロピルトリメトキシシラン
（６）２−ヒドロキシ−４−ｎ−オクトキシベンゾフェノン
【００４９】
【表２】
2011190432.tif 000005
【産業上の利用可能性】
【００５０】
置換ポリオレフィンとしてエチレン酢酸ビニル共重合体を使用した本発明の架橋性エラストマー組成物の成形体は、食品、医薬品、工業薬品、農薬等各種の包装材料、各種の接着膜、太陽電池用封止膜の他、血液透析、血漿成分分離、蛋白溶液の脱塩、分画、濃縮、果汁の濃縮、排水処理の分野において有用である。